(57)【特許請求の範囲】
【請求項１】
金属屋根の上面に設ける設置物を架台不要で取り付ける取付金具に用いられる受け金具であって、
設置物の底面に当接し、設置物を支持する受け金具の本体を円形状又は多角形状に形成しつつ、
受け金具の本体に凹凸の形状を備えるとともに、その凹凸の形状はその凹部が本体の外縁へ連続している形状に形成したことで、受け金具で受けた雨水が受け金具の本体に貯留しないことを特徴とする受け金具。
【請求項２】
凹凸の形状は、受け金具の本体の中心点を中心に点対称であることを特徴とする請求項１記載の受け金具。
【請求項３】
受け金具の本体の上面を被覆する樹脂製キャップを備えたことを特徴とする請求項１又は２に記載の受け金具。
【請求項４】
請求項１から３のいずれかに記載の受け金具を備えた取付金具。
【発明の詳細な説明】
【技術分野】
【０００１】
本願発明は、金属屋根の上面に設ける設置物（例えば、ソーラーパネルなど）を架台不要で取り付ける取付金具に用いられる受け金具に関するものである。
【背景技術】
【０００２】
金属屋根にソーラーパネルなどの設置物を架台不要（架台無し）で取り付ける構造としては、下記の特許文献１（特に図１）に示すものなどが挙げられる。
【先行技術文献】
【特許文献】
【０００３】
【特許文献１】特開２０００−２９１２１６号公報
【発明の概要】
【発明が解決しようとする課題】
【０００４】
従来、金属屋根にソーラーパネルなどの設置物を架台不要（架台無し）で取り付ける場合、設置物の底面に当接し、設置物を支持する「受け金具」を使用することが多い。本願発明者は、この「受け金具」に関して、従来にない新規な受け金具を提供すべく鋭意試験・研究を行い、本願発明を完成するに至った。
【課題を解決するための手段】
【０００５】
上記目的を達成するために、本願発明の第１の発明は、金属屋根の上面に設ける設置物を架台不要で取り付ける取付金具に用いられる受け金具であって、設置物の底面に当接し、設置物を支持する受け金具の本体を円形状又は多角形状に形成しつつ、受け金具の本体に凹凸の形状を備えるとともに、その凹凸の形状はその凹部が本体の外縁へ連続している形状に形成したことで、受け金具で受けた雨水が受け金具の本体に貯留しないことを特徴とするものである。
第２の発明が、凹凸の形状は、受け金具の本体の中心点を中心に点対称であることを特徴とする同受け金具である。
第３の発明は、受け金具の本体の上面を被覆する樹脂製キャップを備えたことを特徴とする同受け金具である。
第４の発明は、上記第１から第３の受け金具を備えた取付金具である。
【発明の効果】
【０００６】
上記した本願発明によれば、以下のような効果を有する。
（１）本願発明が、設置物の底面に当接し、設置物を支持する受け金具の本体を円形状又は多角形状に形成したことで、受け金具の設置向きにかかわらず、設置物の底面に同じように当接するので（当接する面形状が常に同一になる）、設置物の支持の安定化・確実化を図れるとともに、設置作業の施工性向上を図れる。
（２）受け金具の本体に凹凸の形状を備えるとともに、その凹凸の形状は受け金具で受けた雨水が受け金具の本体に貯留しない形状に形成したことで、受け金具の本体の強度を高めるだけでなく、雨水の貯留が無くなり、錆防止（防錆効果）を図れる。
（３）凹凸の形状が、受け金具の本体の中心点を中心に点対称であることで、受け金具の設置向きにかかわらず、均等な強度になるとともに、美観的にも優れたものとなる。
（４）受け金具の本体の上面を被覆する樹脂製キャップを備えたことで、受け金具の保護を図れる。
【図面の簡単な説明】
【０００７】
【図１】受け金具の実施形態を示す説明図（１）。
【図２】受け金具の実施形態を示す説明図（２）。
【図３】受け金具の実施形態を示す説明図（３）。
【図４】受け金具の使用状態を示す説明図（１）。
【図５】受け金具の使用状態を示す説明図（２）。
【図６】取付金具の実施形態を示す説明図。
【図７】受け金具のその他の使用状態を示す説明図（１）。
【図８】受け金具のその他の使用状態を示す説明図（２）。
【発明を実施するための形態】
【０００８】
本願発明の実施形態を図面に基づいて説明する。
図１及び図２は、本願発明に係る受け金具１０の実施形態を示す説明図である。
図１に示すように、受け金具１０は、本体１１を円形状に形成している。これは、図２（ａ）に示すように、受け金具１０の設置向き（設置角度）にかかわらず、設置物６０の底面に同じように当接させるためである。すなわち、受け金具１０は、設置物６０の底面と当接する面形状が常に同一になるので、設置物の支持の安定化・確実化を図れるとともに、設置作業の施工性向上を図れる（設置向きを調整する必要がない）。
【０００９】
これに対して、図２（ｂ）に示す従来の受け金具５０は矩形状をしているので、受け金具５０の設置向き（設置角度）によって、設置物６０の底面と当接する面形状が変化する。このため、設置物の支持が不安定・不確実なものになるとともに、設置作業を煩雑なものにしていた（設置向きを調整する必要がある）。
なお、受け金具１０は、上記の主旨に合致する限り、円形状のものに限らず、多角形状のものであってもよい。
【００１０】
また、図１に示すように、受け金具１０の本体１１は、凹凸の形状１２を備える。凹凸の形状１２を備えることで、本体１１（受け金具１０）の強度を高めることができるからである。この時、凹凸の形状１２は、受け金具１０で受けた雨水が受け金具１０の本体１１に貯留しない形状に形成する。すなわち、凹凸の形状１２によって形成された凹部が本体１１の外縁（受け金具１０の外）へ連続している形状である。これにより、受け金具１０における雨水の貯留が無くなり、受け金具１０の錆防止（防錆効果）を図れる。
【００１１】
凹凸の形状１２は、図１に限定されるものではなく、受け金具１０で受けた雨水が受け金具１０の本体１１に貯留しない形状であればよい。但し、凹凸の形状１２は、本体１１の中心点を中心に点対称であることが好ましい。受け金具１０の設置向きにかかわらず、均等な強度になるとともに、美観的にも優れたものとなるからである。例えば、図３に図示する（ａ）〜（ｈ）がその一例である。
また、図示省略するが、受け金具１０の本体１１の上面を樹脂製キャップで被覆してもよい。受け金具１０の保護を図れるからである。
【００１２】
図４及び図５は、本願発明に係る受け金具１０の使用状態を示す説明図である。
図４は、受け金具１０の使用状態の一例であるが、ハゼ式折板屋根５５のハゼ部５６（図示は略図）に取り付けた取付金具３０に受け金具１０を用いたものである。取付金具３０に架台を取り付けることなく、この受け金具１０の上に直接ソーラーパネルなどの設置物を取り付けることができるため、安全且つ確実な直付け工法を可能にするものである。なお、受け金具１０は、取付金具３０に限定されることなく、その他の金属屋根用の取付金具に用いられてもよい（例えば、図７及び図８に示す取付金具２０など）。
【００１３】
図５に示すように、取付金具３０は、本体パーツ３１と本体パーツ３５からなり、これを組合せて締め付けるボルト４０を備える。そして、受け金具１０は、このボルト４０を本体１１の中心部に形成したボルト孔１３に挿通して、ナット４１で締結し用いられる。
受け金具１０を用いた取付部材３０を組み立てる際に、受け金具１０は上記の通り本体１１を円形状にしているので受け金具１０の向きを考慮する必要がなく、極めて効率的に組立作業を行える。
【００１４】
図６は、取付金具３０の特徴を説明する説明図である。
取付金具３０は、本体パーツ３１と本体パーツ３５からなり、本体パーツ３１を外側に本体パーツ３５を内側にして（図６（ａ）参照）、ボルト４０及びナット４１で締結することのみで（図６（ｂ）参照）、本体パーツ３１の下側端部３２と本体パーツ３５の下側端部３６がハゼ式折板屋根５５のハゼ部５６に係合し、ハゼ部５６に取り付けられる（図６（ｃ）参照）。
【００１５】
従来の取付金具は、本体パーツ３１と本体パーツ３５を水平方向に貫通するボルト及びナットで本体パーツ３１と本体パーツ３５を締め付け、ハゼ式折板屋根５５のハゼ部５６に係合させる構造のものであったが、水平方向でのボルト及びナットの締結作業が必要なために、作業が極めて煩雑なものになっていた。しかしながら、取付部材３０は水平方向でのボルト及びナットの締結作業が不要であり、取付金具上部の鉛直方向でのボルト及びナットの締結作業のみである。このため、取付作業が極めて容易で確実に行えて、取付作業の効率性・確実性を高めることができる。
【００１６】
図７及び図８も、本願発明に係る受け金具１０の使用状態を示す説明図である。
図７及び図８は、受け金具１０の使用状態のその他の一例であるが、ハゼ式折板屋根５５のハゼ部５６（図示は略図）に取り付けた取付金具２０に受け金具１０を用いたものである。取付金具２０に架台を取り付けることなく、この受け金具１０の上に直接ソーラーパネルなどの設置物を取り付けることができるため、安全且つ確実な直付け工法を可能にするものである。
【００１７】
図７及び図８に示すように、取付金具２０は、本体パーツ２１と本体パーツ２２からなり、これを組合せてボルト２５及びナット２６で締め付けてハゼ部５６に固定する。そして、受け金具１０は、取付金具２０に設けられた上部ボルト２３を本体１１の中心部に形成したボルト孔１３に挿通して、ナット２４で締結し用いられる。
受け金具１０を用いた取付部材２０を組み立てる際に、受け金具１０は上記の通り本体１１を円形状にしているので受け金具１０の向きを考慮する必要がなく、極めて効率的に組立作業を行える。
【産業上の利用可能性】
【００１８】
本願発明に係る受け金具は、金属屋根の上面に設ける設置物を架台不要で取り付ける取付金具に広く利用できるものである。特に、ソーラーパネルを金属屋根に直付けする場合（直付け工法の場合）に有効である。
【符号の説明】
【００１９】
１０  受け金具（本願発明）
１１  本体
１２  凹凸の形状
１３  ボルト孔
２０  取付金具
２１  本体パーツ
２２  本体パーツ
２３  上部ボルト
２４  ナット
２５  ボルト
２６  ナット
３０  取付金具
３１  本体パーツ
３２  下側端部
３５  本体パーツ
３６  下側端部
４０  ボルト
４１  ナット
５０  受け金具（従来）
５５  ハゼ式折板屋根
５６  ハゼ部
６０  設置物
【図１】
0005639608.tif 000002
【図２】
0005639608.tif 000003
【図３】
0005639608.tif 000004
【図４】
0005639608.tif 000005
【図５】
0005639608.tif 000006
【図６】
0005639608.tif 000007
【図７】
0005639608.tif 000008
【図８】
0005639608.tif 000009